(57)【要約】【課題】使用時の快適性をより向上させることのできる頭皮ケア装置を提供する。【解決手段】頭皮ケア装置１は、把持部（本体部）３と、頭皮刺激部２とを備えている。把持部（本体部）３は、ファン（送風機）などを有する。頭皮刺激部２は、付け根部３１（３１ａおよび３１ｂ）と、複数の棒状部材４１ａおよび４１ｂとを備えている。付け根部３１は、把持部３と接続される。複数の棒状部材４１ａおよび４１ｂは、付け根部３１から突出し、かつ、施術箇所に接触する先端部を有している。複数の棒状部材４１ａおよび４１ｂのうちの少なくとも一つの棒状部材（例えば、第１棒状部材４１ａ）の先端部には、棒状部材の本体部分よりも熱伝導率の高い伝熱部４２が設けられている。【選択図】図１
2019146677.tif 000002
【特許請求の範囲】
【請求項１】
送風機を有する本体部と、
前記本体部と接続される少なくとも一つの付け根部と、
前記付け根部から突出し、かつ、施術箇所に接触する先端部を有する複数の棒状部材と
を備え、
前記複数の棒状部材のうちの少なくとも一つの棒状部材の先端部には、前記棒状部材よりも熱伝導率の高い伝熱部が設けられている、
頭皮ケア装置。
【請求項２】
前記付け根部を２つ備えている、請求項１に記載の頭皮ケア装置。
【請求項３】
前記付け根部は弾性を有している、請求項１または２に記載の頭皮ケア装置。
【請求項４】
帯電粒子発生部をさらに備えている、請求項１から３の何れか１項に記載の頭皮ケア装置。
【請求項５】
前記複数の棒状部材は、並んで配置されており、
前記複数の棒状部材のうち、前記伝熱部を有している前記棒状部材は、前記伝熱部を有していない前記棒状部材の外側に配置されている、
請求項１から４の何れか１項に記載の頭皮ケア装置。
【請求項６】
前記送風機によって生成される風を温める加熱部をさらに備えている、請求項１から５の何れか１項に記載の頭皮ケア装置。
【請求項７】
頭皮ケア装置の稼働時間を計測するタイマをさらに備えている、請求項請求項１から６の何れか１項に記載の頭皮ケア装置。
【請求項８】
前記伝熱部を有していない前記棒状部材の少なくとも一つの先端部には、水分センサ、油分センサ、カメラ、および感圧センサのうちの少なくとも何れかが設けられている、請求項１から７の何れか１項に記載の頭皮ケア装置。
【請求項９】
送風機および帯電粒子発生部を有する本体部と、
前記本体部と接続される少なくとも一つの付け根部と、
前記付け根部から突出し、かつ、施術箇所に接触する先端部を有する複数の棒状部材と
を備え、
前記複数の棒状部材の前記先端部には、前記棒状部材よりも熱伝導率の高い伝熱部が設けられている、
頭皮ケア装置。
【発明の詳細な説明】
【技術分野】
【０００１】
本発明は、頭皮ケア装置に関する。
【背景技術】
【０００２】
近年のヘアドライヤには、温風を吐出して髪の乾燥やセットを行うだけでなく、イオンを含んだ風を送風することにより毛髪および頭皮のケア機能を備えているものがある。このようなケア機能を有するヘアドライヤは、頭皮ケア装置とも呼ばれる。また、ドライヤの機能を有することなく、イオンを含んだ風を送りながら、弾性を有する突起を頭皮または毛髪に当接させてマッサージを行う頭皮ケア装置も提案されている。
【０００３】
例えば、特許文献１には、ヘアドライヤのハウジング１に対して着脱可能なカバー体３が開示されている。カバー体３は、使用者の頭部の一部を覆うようにして使用される。
【０００４】
また、カバー体３は、風路内に、使用者の頭部を刺激するための頭部刺激体３３を備えている。頭部刺激体３３は、指を模した複数の棒状体３３１を有している。ヘアドライヤを使用した場合、棒状体３３１は使用者の頭部に接触する。
【先行技術文献】
【特許文献】
【０００５】
【特許文献１】特開２０１７−１６９６１４号公報
【発明の概要】
【発明が解決しようとする課題】
【０００６】
このように、使用時に突起が頭部に接触して頭部を刺激するような構成を有する頭皮ケア装置では、使用時の快適性のさらなる向上が求められている。
【０００７】
そこで、本発明では、使用時の快適性をより向上させることのできる頭皮ケア装置を提供する。
【課題を解決するための手段】
【０００８】
本発明の一局面にかかる頭皮ケア装置は、送風機を有する本体部と、前記本体部と接続される少なくとも一つの付け根部と、前記付け根部から突出し、かつ、施術箇所に接触する先端部を有する複数の棒状部材とを備えている。そして、前記複数の棒状部材のうちの少なくとも一つの棒状部材の前記先端部には、前記棒状部材よりも熱伝導率の高い伝熱部が設けられている。
【０００９】
また、本発明のもう一つの局面にかかる頭皮ケア装置は、送風機および帯電微粒子発生部を有する本体部と、前記本体部と接続される少なくとも一つの付け根部と、前記付け根部から突出し、かつ、施術箇所に接触する先端部を有する複数の棒状部材とを備えている。そして、前記複数の棒状部材の前記先端部には、前記棒状部材よりも熱伝導率の高い伝熱部が設けられている。
【発明の効果】
【００１０】
本発明の一局面にかかる頭皮ケア装置によれば、複数の棒状部材のうちの少なくとも一つの棒状部材の先端部に伝熱部が設けられていることで、送風機からの風の温冷をより感じやすくすることができ、使用時の快適性をより向上させることができる。
【図面の簡単な説明】
【００１１】
【図１】本発明の一実施形態にかかる頭皮ケア装置の外観構成を示す斜視図である。
【図２】図１に示す頭皮ケア装置の外観構成を示す側面図である。
【図３】図１に示す頭皮ケア装置の構成を示す断面図である。
【図４】図１に示す頭皮ケア装置の第１棒状部材の内部構成を示す部分断面図である。
【図５】図１に示す頭皮ケア装置の第１棒状部材の施術箇所との対向面を示す平面図である。
【図６】図１に示す頭皮ケア装置の内部構成を示すブロック図である。
【図７】第２の実施形態にかかる頭皮ケア装置の外観構成を示す斜視図である。
【図８】第３の実施形態にかかる頭皮ケア装置の構成を示す断面図である。
【図９】第４の実施形態にかかる頭皮ケア装置の外観構成を示す斜視図である。
【図１０】第５の実施形態にかかる頭皮ケア装置の内部構成を示すブロック図である。
【図１１】第１の変形例にかかる頭皮ケア装置の第１棒状部材の内部構成を示す部分断面図である。
【図１２】第２の変形例にかかる頭皮ケア装置の第１棒状部材の内部構成を示す部分断面図である。
【図１３】第３の変形例にかかる頭皮ケア装置の第１棒状部材の構成を示す部分断面図である。
【発明を実施するための形態】
【００１２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１３】
＜第１の実施形態＞
本実施形態では、頭皮を刺激するための突起（棒状部材）を有する頭皮ケア装置を例に挙げて説明する。本実施形態にかかる頭皮ケア装置は、頭皮をマッサージしたりイオンを供給したりすることによって頭皮環境を整えるなどの用途に用いられる。
【００１４】
（頭皮ケア装置の全体構成）
先ず、本実施の形態にかかる頭皮ケア装置１の全体構成について、図１および図２を用いて説明する。図１は、頭皮ケア装置１を下方から見た状態を示す斜視図である。図２には、頭皮ケア装置１を横から見たときの状態を示す側面図である。
【００１５】
図１に示すように、頭皮ケア装置１は、主として、頭皮刺激部２と、把持部（本体部）３とで構成されている。頭皮刺激部２は、把持部３の先端部に取り付けて使用される。頭皮刺激部２は、把持部３から取り外し可能に構成されていてもよいし、把持部３に取り外し不可能な状態で連結されていてもよい。
【００１６】
本明細書では、頭皮ケア装置１の各構成要素の形状および位置関係などを説明するにあたって、便宜上、頭皮ケア装置１を図１および図２などに示すようなＸ方向（幅方向）、Ｙ方向（上下方向）、Ｚ方向（前後方向）という三方向の座標軸で規定する。
【００１７】
本実施形態にかかる頭皮ケア装置１は、コードレスタイプであり、内部に一次電池または二次電池を備えている。しかし、本発明の別の態様では、頭皮ケア装置１は、電源コードを有していてもよい。
【００１８】
頭皮刺激部２は、２つの部材３１・３１で構成されている。これらの部材は、人の手のひらを模した形状に構成されているため、掌型突起３１・３１と呼ばれる。２つの掌型突起３１・３１は、把持部３の先端部分に幅方向（Ｘ方向）に並んで取り付けられている。
【００１９】
頭皮ケア装置１の先端側（Ｚ１側）から見て右側（Ｘ１側）の掌型突起３１は、右側付け根部３１ａと、複数（本実施形態では、３本）の棒状部材（棒状部材４１ａを２本、および４１ｂを１本）とを有している。頭皮ケア装置１の先端側（Ｚ１側）から見て左側（Ｘ２側）の掌型突起３１は、左側付け根部３１ｂと、複数（本実施形態では、３本）の棒状部材（棒状部材４１ａを２本、および４１ｂを１本）とを有している。
【００２０】
このように、掌型突起３１は、付け根部３１ａまたは３１ｂと、付け根部から突出する複数の棒状部材４１ａおよび４１ｂとを有しており、人の手で頭皮マッサージを行うときの手指の形状を模したような形状となっている。
【００２１】
各付け根部３１ａおよび３１ｂは、把持部３の先端に位置する接続部３４に取り付けられている。各付け根部３１ａおよび３１ｂは、接続部３４からユーザが取り外し可能に構成されていてもよいし、ユーザが取り外しできないように連結されていてもよい。各付け根部３１ａおよび３１ｂは、上方（Ｙ１側）に向かって凸形となる湾曲した板状の形状を有している。付け根部３１ａおよび３１ｂがこのような湾曲した形状を有していることで、各棒状部材４１ａおよび４１ｂの先端部へ向けて風を効率よく導くことできる。
【００２２】
付け根部３１ａおよび３１ｂは、弾性を有している。具体的には、付け根部３１ａおよび３１ｂは、例えば、ポリプロピレン（ＰＰ）、ポリスチレン（ＰＳ）、アクリルニトリルブタジエンスチレン（ＡＢＳ）、ポリエチレン（ＰＥ）、ナイロン(ＰＡ)などの弾性を有する樹脂材料で形成されている。
【００２３】
また、付け根部３１ａおよび３１ｂは、接続部３４を基点として上下方向（Ｙ方向）および左右方向（Ｘ方向）にある程度の可動性を有していてもよい。例えば、接続部３４は、シリコン樹脂などの弾性を有する素材を有しており、付け根部３１ａおよび３１ｂは、この弾性を有する素材中に嵌め込まれていてもよい。これにより、頭皮刺激部２の先端部が頭皮へ接触したときの衝撃を和らげ、ユーザが感じる頭皮の感触をより良好なものにすることができる。
【００２４】
各棒状部材４１ａおよび４１ｂの先端には、頭皮ケア装置１の使用時（施術時）にユーザの頭皮または毛髪（施術箇所）と接触する先端部が設けられている。先端部は、マッチ棒の先端のように、他の部分と比較して、やや膨らんだ球形状となっている。これにより、施術時の頭皮に対する接触部の接触面積を拡張することができる。そして、頭皮刺激部２が頭皮へ接触したときの頭皮の感触をより良好なものにすることができる。
【００２５】
ここで、施術箇所とは、ユーザの頭部（具体的には、頭皮または毛髪など）の一部分であって、頭皮ケア装置１を用いて重点的にケアされる場所のことを意味する。例えば、頭皮ケア装置１の使用時に、各棒状部材４１ａおよび４１ｂの先端部が接触または当接する箇所が施術箇所に相当する。なお、頭皮ケア装置１の使用時、ユーザは、頭皮または毛髪に対して頭皮ケア装置１を移動させながらケア（施術）を行う。したがって、施術箇所は順次移動する。
【００２６】
なお、本実施形態にかかる頭皮ケア装置１の頭皮刺激部２は、２種類の棒状部材（すなわち、第１棒状部材４１ａおよび第２棒状部材４１ｂ）を有している。各棒状部材４１ａおよび４１ｂの具体的な構成については、後述する。
【００２７】
把持部３は、図１に示すように、Ｚ方向に延びる略直方体形状の部材である。把持部３の外形は、主として、プラスチックなどで形成された筐体で構成されている。
【００２８】
把持部３には、その長手方向（Ｚ方向）のＺ２側の端部に、空気の吸い込み口（図示せず）が設けられ、Ｚ１側の端部に、風の吹き出し口３５が設けられている。吹き出し口３５の近傍には、頭皮刺激部２との接続部３４が設けられている。
【００２９】
把持部３の一側面には、操作部２１が設けられている（図２参照）。頭皮ケア装置１の使用時に、ユーザが操作部２１を操作することで、頭皮ケア装置１が動作を開始したり停止したりする。また、操作部２１が操作されることで、吹き出し口３５から吹き出す風の種類（温風／冷風）および風量などが調節される。
【００３０】
図３には、把持部３の内部構成を示す。図３は、頭皮ケア装置１をＹＺ平面で切断したときの把持部３の内部を示す断面図である。把持部３内には、制御部７１（図６参照）、ファン７２、ヒータ７３（図６参照）、イオン供給部（帯電微粒子発生装置ともいう）７５、送風路７６などが備えられている。
【００３１】
制御部７１は、操作部２１で操作された内容に応じて、ファン７２、ヒータ（加熱部）７２、およびイオン供給部７５などの動作を制御する。
【００３２】
ファン７２は、内部にモータを有している。頭皮ケア装置１の稼働時、モータの駆動力によってファン７２が回転する。これにより、把持部３内の送風路７６で、吸い込み口から吹き出し口３５へと向かう空気の流れが形成される。
【００３３】
ヒータ７３は、吸い込み口から把持部３内へ取り込まれた空気を加熱する。頭皮ケア装置１の稼働時、ヒータ７３が稼働することで、把持部３の内部に取り込まれた空気が加熱され、吹き出し口３５から温風を送出させることができる。制御部７１は、ヒータ７３のＯＮ／ＯＦＦを制御する。例えば、ユーザが操作部２１において冷風吹き出しの運転モードを選択したときには、制御部７１は、ヒータ７３の運転を停止させる。これにより、吹き出し口３５からは、冷風が送出される。また、制御部７１は、吹き出し口３５から温風と冷風とが交互に吹き出されるようにヒータ７３を制御してもよい。
【００３４】
イオン供給部７５は、吹き出し口３５の近傍に配置されている。
【００３５】
イオン供給部７５は、正（＋）イオン（例えば、Ｈ＋（Ｈ２Ｏ）ｍ（ｍは任意の自然数））および負（−）イオン（例えば、Ｏ２−（Ｈ２Ｏ）ｎ（ｎは任意の自然数））の少なくとも何れかを発生する。把持部３にイオン供給部７５が備えられていることで、把持部３から吹き出す風にイオンを含有させることができる。把持部３から吹き出す風にイオンが含まれていることで、施術される頭皮のうるおいを保つなど、頭皮環境を整えることができる。また、施術される毛髪のうるおいをキープしたり、キューティクルを引き締めたりして毛髪のダメージを抑え、トリートメント効果を得ることができる。なお、本発明の別の態様にかかる頭皮ケア装置では、イオン供給部が設けられていない構成とすることもできる。
【００３６】
操作部２１は、ユーザによって操作される。操作部２１における操作情報は、制御部７１へ送信される。
【００３７】
以上の構成により、頭皮ケア装置１を稼働させると、吹き出し口３５から吹き出される風は、頭皮刺激部２を通過してユーザの施術箇所およびその近傍へ導かれる。
【００３８】
つまり、本実施形態にかかる頭皮ケア装置１によれば、把持部３から供給される風を、掌型突起３１の付け根部３１ａおよび３１ｂの湾曲面、および各棒状部材４１ａおよび４１ｂを通過させて、主としてユーザの施術箇所へ送出することができる。各棒状部材４１ａおよび４１ｂには、略球状に膨らんだ先端部が設けられている。そのため、頭皮ケア装置１を使用するユーザは、把持部３から供給されるイオンを含む風を、毛髪または頭皮に当てながら、各棒状部材４１ａおよび４１ｂの先端部を頭皮または毛髪に接触させて施術箇所のマッサージを行うことができる。
【００３９】
また、本実施形態では、頭皮刺激部２が、付け根部３１ａと付け根部３１ｂという２つの構成部材に分かれているので、押さえつけると各構成部材の間隔が開き、押さえつける力を抜くとこの間隔が狭まるような弾性を持たせることができる。これにより、揉むような感じのマッサージを行うことができる。
【００４０】
（頭皮刺激部の構成）
続いて、頭皮刺激部２のより具体的な構成について説明する。図４および図５には、頭皮刺激部２の第１棒状部材４１ａのより詳細な構成を示す。
【００４１】
上述したように、頭皮刺激部２は、２つの掌型突起３１・３１で構成されている。各掌型突起３１は、付け根部３１ａまたは３１ｂと、付け根部から突出する第１棒状部材４１ａと、付け根部から突出する第２棒状部材４１ｂとを有している。各棒状部材４１ａおよび４１ｂの先端部は、マッチ棒の先端のように、他の部分と比較して、やや膨らんだ球体状になっている。なお、２つの掌型突起３１・３１は、付け根部３１ａと３１ｂとがＵ字型に連結されていてもよい。
【００４２】
具体的には、頭皮刺激部２の先端部側（Ｚ１側）から見て右側（Ｘ１側）の掌型突起３１は、右側付け根部３１ａと、右側付け根部３１ａから突出する３本の棒状部材とを有している。本実施形態では、３本の棒状部材のうち、２本が第１棒状部材４１ａであり、１本が第２棒状部材４１ｂである。３本の棒状部材は、略Ｘ方向に並んで配置されている。そして、２本の第１棒状部材４１ａは、１本の第２棒状部材４１ｂの外側（図１では、Ｘ１側）に配置されている。
【００４３】
また、頭皮刺激部２の先端部側（Ｚ１側）から見て左側（Ｘ２側）の掌型突起３１は、左側付け根部３１ｂと、左側付け根部３１ｂから突出する３本の棒状部材とを有している。右側の掌型突起３１と同様に、本実施形態では、３本の棒状部材のうち、２本が第１棒状部材４１ａであり、１本が第２棒状部材４１ｂである。３本の棒状部材は、略Ｘ方向に並んで配置されている。そして、２本の第１棒状部材４１ａは、１本の第２棒状部材４１ｂの外側（図１では、Ｘ２側）に配置されている。
【００４４】
なお、ここで説明する第１棒状部材４１ａおよび第２棒状部材４１ｂの数および配置の方法は一例であり、本発明の別の態様では、他の数および配置方法も可能である。
【００４５】
第１棒状部材４１ａは、先端部に伝熱部４２を有している。伝熱部４２は、第１棒状部材４１ａの本体部分よりも熱伝導率が高くなっている。すなわち、第１棒状部材４１ａは、互いに熱伝導率の異なる２種類の材料で形成されている。
【００４６】
第１棒状部材４１ａの本体部分は、第１の部材とも呼ばれる。第１の部材は、例えば、ポリプロピレン（ＰＰ）、ポリスチレン（ＰＳ）、アクリルニトリルブタジエンスチレン（ＡＢＳ）、ポリエチレン（ＰＥ）、ナイロン(ＰＡ)などの樹脂材料などの第１の材料で主に形成されている。第１の部材は、付け根部３１ａおよび３１ｂと同じ材料で、一体的に形成されていてもよい。
【００４７】
また、第１の材料は、例えば、１Ｗ／（ｍ・Ｋ）以下の範囲内の熱伝導率を有していることが好ましい。
【００４８】
また、伝熱部４２は、第２の部材とも呼ばれる。第２の部材は、第１の部材よりも熱伝導率が高い。すなわち、第２の部材は、第１の部材と比較して、熱が伝わりやすい。そのため、把持部３の吹き出し口３５から温かい風が吹き出された場合には、第２の部材は第１の部材よりも温度が高くなる傾向にある。一方、把持部３の吹き出し口３５から冷たい風が吹き出された場合には、第２の部材は第１の部材よりも温度が低くなる傾向にある。第２の部材は、施術箇所に接触するため、頭皮ケア装置１を使用するユーザは、温冷（温かさまたは冷たさ）をより感じやすい。なお、伝熱部４２は、高熱伝導率部と呼ぶこともできる。
【００４９】
第２の部材は、第１の材料と比較して熱伝導率の高い第２の材料で主に形成されている。なお、第２の部材は、第２の材料と、その他の材料とを混合して形成されていてもよい。第２の材料としては、例えば、鉄、ニッケル、チタン、ステンレス、銅などの金属材料（合金材料を含む）などが挙げられる。しかし、第２の材料として、ダイヤモンドなどの鉱石材料、セラミックスなどの陶磁器材料などの金属材料以外の材料を用いることも可能である。
【００５０】
また、第２の材料は、例えば、１０Ｗ／（ｍ・Ｋ）以上の範囲内の熱伝導率を有していることが好ましい。
【００５１】
また、伝熱部４２は、鉄などの金属で形成されたボール（球状体）の表面に、ニッケルのメッキが施されたものであってもよい。あるいは、伝熱部４２は、鉄などの金属で形成されたボール（球状体）の表面に、チタン蒸着が施されたものであってもよい。
【００５２】
図４に示すように、伝熱部４２は、第１棒状部材４１ａの先端部に埋め込まれるように取り付けられている。第１棒状部材４１ａの本体部分（第１の部材）は、伝熱部４２と比較して柔らかい材料で形成されている。また、第１の部材は、ある程度の弾性を有していることが好ましい。これにより、頭皮刺激部２が施術箇所に当たったときの感触を和らげ、使用時の快適性を向上させることができる。
【００５３】
また、伝熱部４２は、可動部材であってもよい。すなわち、伝熱部４２は、第１棒状部材４１ａの本体部分（第１の部材）に対して可動性を有していてもよい。例えば、可塑性の樹脂材料で形成された第１の部材の先端部（保持部４１ｃ：図４参照）に、金属などのある程度の剛性を有する材料で形成された球状の伝熱部４２を嵌め込むことで、伝熱部４２は回転可能となる。このようにして、可動性を有する伝熱部４２を形成することができる。
【００５４】
また、図５に示すように、第１棒状部材４１ａの本体部分には、施術箇所との対向面（Ｙ２方向側の面）に、溝部４５が形成されている。溝部４５は、第１棒状部材４１ａの一部を抉るようにして形成されている。さらに、各第１棒状部材４１ａの溝部４５の先端部（伝熱部４２との境界部近傍）には、第１棒状部材４１ａの一部をさらに抉って形成された切り欠き部４６が形成されている（図４および図５参照）。溝部４５および切り欠き部４６は、吹き出し口３５から吹き出された風を、伝熱部４２へ向けて優先的に送る送風路の役割を果たす。
【００５５】
溝部４５および切り欠き部４６が、把持部３からの風を伝熱部４２へ導く送風路の役割を果たすことで、把持部３から温風が吹き出される場合には、伝熱部４２をより効率的に温めることができる。一方、把持部３から冷風が吹き出される場合には、伝熱部４２をより効率的に冷やすことができる。
【００５６】
次に、第２棒状部材４１ｂの構成について説明する。第１棒状部材４１ａとは異なり、第２棒状部材４１ｂには、伝熱部４２は設けられていない。すなわち、第２棒状部材４１ｂは、その略全体が伝熱部４２よりも熱伝導率の低い第１の部材で形成されている。第１の部材は、第１棒状部材４１ａと同様に第１の材料で形成されている。
【００５７】
第２棒状部材４１ｂの先端部は、他の部分と比較して、やや膨らんだ球体状になっており、頭皮刺激部２の使用時に施術箇所に当接する。
【００５８】
なお、第２棒状部材４１ｂの先端部の内部には、センサ４３が埋め込まれている。センサ４３の種類としては、例えば、水分センサ、油分センサ、カメラ（画像センサ）、および感圧センサなどが挙げられる。これらの各種センサのうち、１種類または複数種類のセンサを適宜選択して、センサ４３を構成することができる。
【００５９】
センサ４３が感圧センサである場合には、頭皮ケア装置１の使用時における頭皮刺激部２の往復回数を測定することができる。これにより、頭皮ケア装置１によるマッサージの回数を計測することができる。なお、感圧センサは、第２棒状部材４１ｂの先端部ではなく、付け根部３１ａおよび３１ｂの根元（すなわち、接続部３４との接続箇所の近傍）に取り付けてもよい。
【００６０】
また、センサ４３が水分センサまたは油分センサである場合には、ユーザの施術箇所（すなわち、頭皮、毛髪など）に含まれる水分または油分の量を測定することができる。これにより、ユーザの頭皮環境を予測することができる。
【００６１】
また、センサ４３がカメラである場合には、頭皮ケア装置１の使用時に施術箇所（すなわち、ユーザの頭皮または毛髪）を撮影することができる。これにより、ユーザの頭皮または毛髪の状態を観察することができる。
【００６２】
また、センサ４３は、ジャイロセンサまたは角速度センサであってもよい。この場合、頭皮ケア装置１の使用時における棒状部材４１ｂの先端部の向きを測定することができる。これにより、ユーザが頭皮ケア装置１を適切に使っているか否かを判定することができる。
【００６３】
以上のように、本実施形態にかかる頭皮ケア装置１には、第１棒状部材４１ａと第２棒状部材４１ｂという２種類の突起が設けられている。そして、第１棒状部材４１ａが伝熱部４２を有することで、使用時のユーザの快適性を向上させることができるとともに、第２棒状部材４１ｂがセンサ４３を有することで、施術箇所の状態やユーザの使用状態に関する情報を取得することができる。
【００６４】
（頭皮ケア装置１の制御について）
続いて、センサ４３によって取得された検知情報およびタイマ８１などを用いて、頭皮ケア装置１の運転を制御する方法について、以下に説明する。図６は、頭皮ケア装置１の内部構成を示すブロック図である。図６には、制御部７１を中心とした頭皮ケア装置１の運転制御に関連する構成部材を主に図示している。
【００６５】
図６に示すように、頭皮ケア装置１は、制御部７１、ファン７２、ヒータ７３、イオン供給部７５、センサ４３、および操作部２１などを備えている。制御部７１内には、タイマ８１、メモリ８２などが設けられている。
【００６６】
タイマ８１は、時計の機能を有しており、必要に応じて、制御部７１内で行われる処理の時間、頭皮ケア装置１内の各構成部材の動作時間などを計測する。タイマ８１が設けられていることで、頭皮ケア装置１の稼働時間を計測することができる。例えば、制御部７１からの指令にしたがって、タイマ８１は、１回ごとの使用時間（稼働時間）を計測することができる。また、タイマ８１が備えられていることで、ユーザが使用前に所定時間を設定しておき、頭皮ケア装置１の使用開始からその所定時間が経過したときに、アラーム音など鳴らすように構成することもできる。これにより、ユーザの所望とする使用時間が経過したときに、ユーザに対してそれを報知することができる。
【００６７】
あるいは、予め推奨使用時間を設定しておいてもよい。これにより、使用不足や使用過多を防止する目安とすることができる。タイマとしては、カウントダウンタイマ、カウントアップタイマなどがある。また、把持部３（本体部）に液晶ディスプレイなどの表示部が設けられている場合には、タイマ８１の計測時間を表示部に表示することが好ましい。
【００６８】
メモリ８２は、ＲＯＭ（read only memory）及びＲＡＭ（Random Access Memory）を含む。メモリ８２は、頭皮ケア装置１の動作プログラムや設定データを記憶するとともに制御部７１による演算結果を一時記憶する。メモリ８２には、センサ４３によって取得された検知情報も格納することができる。例えば、センサ４３が水分センサまたは油分センサである場合には、センサ４３が検知したユーザの頭皮の水分量および油分量を、使用した日時と対応付けて記憶させることができる。
【００６９】
なお、図６には図示されていないが、頭皮ケア装置１は、センサ４３によって取得された検知情報を外部へ送信するための送受信部をさらに備えていてもよい。頭皮ケア装置１が送受信部を備えていることで、メモリ８２に格納されている検知情報を外部の通信端末に送信することができる。これにより、より大容量の検知情報を格納することができる。したがって、例えば、頭皮ケア装置１の使用状態に関するデータを長期間にわたって外部の端末に記憶させることができる。そして、このデータに基づいて、各ユーザの頭皮の状態を把握し、各ユーザに応じた頭皮ケア装置１の使用方法などを提案することも可能となる。
【００７０】
頭皮ケア装置１がタイマ８１およびメモリ８２を有していることで、２４時間（１日）あるいは１週間（７日）などのような所定期間内の累積使用時間を計測することもできる。この場合、タイマ８１が計測した１回ごとの使用時間をメモリ８２に格納する。そして、制御部７１は、メモリ８２に格納された各使用時間をもとに累積使用時間を算出することができる。
【００７１】
また、上記の構成によれば、タイマ８１が温風および冷風の吹き出し時間をそれぞれ計測することができる。そのため、温風と冷風とを交互に吹き出す制御を行う場合には、温風および冷風の各吹き出し継続時間を予め設定しておき、制御部７１が、タイマ８１での計測結果にしたがってヒータ７３のＯＮ／ＯＦＦを制御することで、温風および冷風の継続時間を適宜変更することができる。
【００７２】
また、センサ４３が感圧センサである場合には、頭皮ケア装置１の使用時の頭皮刺激部２の先端部の圧力を測定することが可能である。また、センサ４３がジャイロセンサである場合には、頭皮ケア装置１の使用時の頭皮刺激部２の先端部の頭皮に対する角度を測定することができる。センサ４３が取得した測定値は、制御部７１へ送信される。また、メモリ８２は、頭皮ケア装置１の使用時における推奨の圧力および角度を格納することもできる。そして、制御部７１は、メモリ８２に格納された各測定値の推奨値と、センサ４３から送信された測定値とを比較することで、測定値が許容範囲であるか否かを判定し、頭皮ケア装置１が適切に使用されているか否かを判定することができる。
【００７３】
また、センサ４３が感圧センサである場合には、頭皮刺激部２が頭皮上を往復した回数（すなわち、マッサージ回数）を測定することもできる。そこで、メモリ８２内に、予め上限のマッサージ回数を格納しておき、頭皮ケア装置１の１回の使用において頭皮刺激部２の往復回数が上限のマッサージ回数に到達すると、ユーザにその旨を通知してもよい。なお、このような通知を行うために、頭皮ケア装置１は、スピーカなどの音声発生部を備えていてもよい。
【００７４】
また、センサ４３が水分センサおよび油分センサを有している場合には、ユーザの頭部（頭皮および毛髪）の水分量および油分量を随時測定することができる。ユーザの頭部の水分量および油分量は、日々の体調および気候などの諸条件によって変化し得る。そこで、毎回の使用時にユーザの頭部の水分量および油分量を測定し、その測定結果に応じて、イオン供給部７５から供給されるイオンの量やファン７２の風量を変化させることで、ユーザの日々の頭皮環境に応じた頭皮ケアを行うことができる。
【００７５】
（第１の実施形態のまとめ）
以上のように、本実施形態にかかる頭皮ケア装置１は、頭皮刺激部２と、把持部３とで構成されている。把持部３には、ファン７２、ヒータ７３、イオン供給部７５などが設けられている。また、頭皮刺激部２は、付け根部３１ａおよび３１ｂと、複数の棒状部材４１ａおよび４１ｂとを有している。付け根部３１ａおよび３１ｂは、把持部３と接続される。各棒状部材４１ａおよび４１ｂは、付け根部３１ａまたは３１ｂから突出し、かつ、施術箇所に接触する先端部を有している。複数の棒状部材４１ａおよび４１ｂのうち、第１棒状部材４１ａの先端部には、伝熱部４２が設けられている。伝熱部４２は、棒状部材４１ａの本体部分よりも熱伝導率が高くなっている。
【００７６】
以上のように、本実施形態にかかる頭皮ケア装置１では、伝熱部４２を構成する第２の部材は、棒状部材４１ａの本体部分を構成する第１の部材よりも熱伝導率が高くなっている。すなわち、第２の部材は、第１の部材と比較して、熱が伝わりやすい。そのため、把持部３から温かい風が吹き出された場合には、第２の部材は第１の部材よりも温度が高くなる傾向にある。一方、把持部３から冷たい風が吹き出された場合には、第２の部材は第１の部材よりも温度が低くなる傾向にある。伝熱部４２（第２の部材）は、施術箇所に接触するため、頭皮ケア装置１を使用するユーザは、温冷をより感じやすい。
【００７７】
したがって、本実施形態にかかる頭皮ケア装置１によれば、把持部３から吹き出す風の温冷をより感じやすくすることができ、使用時に快適性をより向上させることができる。例えば、把持部３から吹き出される風の温度に応じて、頭皮刺激部２の伝熱部４２が温かくなったり、冷たくなったりすれば、頭皮をより刺激することができ、ユーザの使用時の快適性を向上させることができる。
【００７８】
（変形例）
続いて、頭皮ケア装置１の変形例について、図１１から図１３を参照しながら説明する。ここで説明する変形例では、第１棒状部材４１ａの構成が第１の実施形態とは異なっている。それ以外の構成については、第１の実施形態と同様の構成が適用できる。
【００７９】
図１１には、第１の変形例にかかる第１棒状部材７４１ａの構成を示す。第１棒状部材７４１ａの先端には、伝熱部７４２が設けられている。第１の実施形態と同様に、第１棒状部材７４１ａの本体部分は、第１の部材とも呼ばれ、伝熱部７４２は、第２の部材とも呼ばれる。第１の部材および第２の部材は、それぞれ第１の実施形態と同様の材料で形成することができる。また、第１の実施形態と同様に、伝熱部７４２は、球形状を有している。
【００８０】
第１の変形例では、第１棒状部材７４１ａの内部に空洞７４５が形成されている。図１１に示すように、この空洞７４５は、第１棒状部材７４１ａの付け根部分（Ｚ２側）から先端部（Ｚ１）にまで延びている。空洞７４５の先端部は、伝熱部７４２の表面の一部にまで到達している。
【００８１】
この空洞７４５は、吹き出し口３５からの風を、伝熱部７４２へ向けて優先的に送る送風路の役割を果たす。空洞７４５を通って伝熱部７４２へ達した風は、第１棒状部材７４１ａと伝熱部７４２との隙間から吹出される。空洞７４５が、把持部３からの風を伝熱部７４２へ導く送風路の役割を果たすことで、把持部３から温風が吹き出される場合には、伝熱部７４２をより効率的に温めることができる。一方、把持部３から冷風が吹き出される場合には、伝熱部７４２をより効率的に冷やすことができる。
【００８２】
図１２には、第２の変形例にかかる第１棒状部材８４１ａの構成を示す。第１棒状部材８４１ａの先端には、伝熱部８４２が設けられている。第１の実施形態と同様に、第１棒状部材８４１ａの本体部分は、第１の部材とも呼ばれ、伝熱部８４２は、第２の部材とも呼ばれる。第１の部材および第２の部材は、それぞれ第１の実施形態と同様の材料で形成することができる。また、第１の実施形態と同様に、伝熱部８４２は、球形状を有している。
【００８３】
第２の変形例では、第１棒状部材８４１ａにおける施術箇所との対向面に、溝部８４５が形成されている。溝部８４５は、第１の実施形態の溝部４５と類似した構成であるが、先端部側の構成が溝部４５とは異なっている。第１棒状部材８４１ａの先端部側では、溝部８４５は、開口部８４６と連通している。開口部８４６は、第１棒状部材８４１ａの内部を貫通して伝熱部８４２の表面の一部にまで延びている。
【００８４】
この溝部８４５および開口部８４６は、吹き出し口３５からの風を、伝熱部８４２へ向けて優先的に送る送風路の役割を果たす。開口８４６を通って伝熱部７４２へ達した風は、第１棒状部材８４１ａと伝熱部８４２との隙間から吹出される。溝部８４５および開口部８４６が、把持部３からの風を伝熱部８４２へ導く送風路の役割を果たすことで、把持部３から温風が吹き出される場合には、伝熱部８４２をより効率的に温めることができる。一方、把持部３から冷風が吹き出される場合には、伝熱部８４２をより効率的に冷やすことができる。
【００８５】
図１３には、第３の変形例にかかる第１棒状部材９４１ａの構成を示す。第１棒状部材９４１ａの先端には、伝熱部９４２が設けられている。第１の実施形態と同様に、第１棒状部材９４１ａの本体部分は、第１の部材とも呼ばれ、伝熱部９４２は、第２の部材とも呼ばれる。第１の部材および第２の部材は、それぞれ第１の実施形態と同様の材料で形成することができる。
【００８６】
第３の変形例では、伝熱部９４２は、多角形体（多面体）の形状を有している。例えば、伝熱部９４２は、その断面が六角形状、または八角形状を有している。
【００８７】
伝熱部９４２が多角形体の形状を有していることで、頭皮ケア装置１を用いた施術時に、頭皮への接触面積を大きくさせることができる。また、伝熱部９４２が多角形体の形状を有していることで、頭皮などの施術箇所への接着力（摩擦力）が高められる。これにより、より効率よくマッサージを行うことができる。
【００８８】
＜第２の実施形態＞
続いて、本発明の第２の実施形態について説明する。第２の実施形態では、頭皮刺激部１０２の構成が第１の実施形態とは異なっている。それ以外の構成については、第１の実施形態と同様の構成を適用することができる。そこで、以下では、第１の実施形態とは異なる構成を中心に説明する。
【００８９】
図７には、第２の実施形態にかかる頭皮ケア装置１０１を示す。第２の実施形態にかかる頭皮ケア装置１０１は、主として、頭皮刺激部１０２と、把持部（本体部）３とで構成されている。把持部３の構成については、第１の実施形態と同様の構成が適用できる。そのため、把持部３の詳細な説明は省略する。
【００９０】
頭皮刺激部１０２は、第１の実施形態と同様に、２つの掌型突起３１・３１で構成されている。頭皮ケア装置１０１の先端側（Ｚ１側）から見て右側（Ｘ１側）の掌型突起３１は、右側付け根部３１ａと、複数（本実施形態では、３本）の棒状部材（棒状部材１４１ａを１本、および１４１ｂを２本）とを有している。頭皮ケア装置１０１の先端側（Ｚ１側）から見て左側（Ｘ２側）の掌型突起３１は、左側付け根部３１ｂと、複数（本実施形態では、３本）の棒状部材（棒状部材１４１ａを１本、および１４１ｂを２本）とを有している。
【００９１】
付け根部３１ａおよび３１ｂは、第１の実施形態と同様の構成を有している。また、第１棒状部材１４１ａは、第１の実施形態における第１棒状部材４１ａと同様の構成を有している。すなわち、第１棒状部材１４１ａの先端部には、伝熱部１４２が設けられている。また、第２棒状部材１４１ｂは、第１の実施形態における第２棒状部材４１ｂと同様の構成を有している。
【００９２】
図７と図１とを比較すればわかるように、本実施形態では、第１棒状部材１４１ａと第２棒状部材１４１ｂの数および配置の仕方が第１の実施形態とは異なっている。本実施形態では、各掌型突起３１は、１本の第１棒状部材１４１ａと、２本の第２棒状部材１４１ｂとで構成されている。また、各棒状部材の配列において、第１棒状部材１４１ａが中央側に位置し、第２棒状部材１４１ｂが外側に位置する。
【００９３】
また、第２棒状部材１４１ｂの先端には、第１センサ１４３および第２センサ１４４が設けられていてもよい。第１センサ１４３および第２センサ１４４は、第１の実施形態のセンサ４３と同様の構成が適用できる。本実施形態では、右側の掌型突起３１の付け根部３１ａから突出する３本の棒状部材のうちの中央に位置する第２棒状部材１４１ｂの先端部に、第１センサ１４３が設けられている。また、左側の掌型突起３１の付け根部３１ｂから突出する３本の棒状部材のうちの中央に位置する第２棒状部材１４１ｂの先端部に、第２センサ１４４が設けられている。
【００９４】
第１センサ１４３および第２センサ１４４は、互いに異なる種類のセンサを有している。各種センサの組み合わせは特に限定されないが、例えば、第１センサ１４３を感圧センサとし、第２センサ１４４を水分センサおよび油分センサの少なくとも何れかとすることができる。
【００９５】
第１の実施形態および第２の実施形態に示す例は一例であり、第１棒状部材と第２棒状部材の数、配置、および組み合わせは、適宜変更することができる。例えば、第１の実施形態の変形例１から３のうちの何れかの構成を第２の実施形態に適用してもよい。
【００９６】
＜第３の実施形態＞
続いて、本発明の第３の実施形態について説明する。第３の実施形態では、頭皮刺激部２０２の構成が第１の実施形態とは異なっている。それ以外の構成については、第１の実施形態と同様の構成を適用することができる。そこで、以下では、第１の実施形態とは異なる構成を中心に説明する。
【００９７】
図８には、第２の実施形態にかかる頭皮ケア装置２０１の断面構成を示す。第３の実施形態にかかる頭皮ケア装置２０１は、主として、頭皮刺激部２０２と、把持部（本体部）３とで構成されている。把持部３の構成については、第１の実施形態と同様の構成が適用できる。そのため、把持部３の詳細な説明は省略する。
【００９８】
頭皮刺激部２０２は、第１の実施形態と同様に、２つの掌型突起３１・３１で構成されている。各掌型突起３１は、右側付け根部３１ａと、複数（本実施形態では、３本）の棒状部材１４１ａを有している。
【００９９】
本実施形態にかかる頭皮刺激部２０２は、１種類の棒状部材（第１棒状部材２４１ａ）のみを有している。第１棒状部材２４１ａは、第１の実施形態の第１棒状部材４１ａと同様の構成が適用できる。すなわち、第１棒状部材２４１ａは、先端部に伝熱部２４２を有している。伝熱部２４２は、第１棒状部材２４１ａの本体部分よりも熱伝導率が高くなっている。
【０１００】
このように、本発明の一態様では、頭皮刺激部２０２を構成する棒状部材の先端部の全てに伝熱部が設けられていてもよい。全ての棒状部材の先端部に伝熱部が設けられていることで、頭皮ケア装置２０１を使用するユーザが、温冷（温かさまたは冷たさ）をより感じやすい構成となり得る。なお、第１の実施形態の変形例１から３の何れかの構成を第３の実施形態に適用してもよい。
【０１０１】
さらに、参考の実施形態として、頭皮刺激部２０２を構成する棒状部材が全て第２棒状部材（すなわち、伝熱部を有していない棒状部材）で構成されているものも挙げられる。
【０１０２】
＜第４の実施形態＞
続いて、本発明の第４の実施形態について説明する。第４の実施形態では、頭皮刺激部３０２の構成が第１の実施形態とは異なっている。それ以外の構成については、第１の実施形態と同様の構成を適用することができる。そこで、以下では、第１の実施形態とは異なる構成を中心に説明する。
【０１０３】
図９には、第４の実施形態にかかる頭皮ケア装置３０１を示す。第４の実施形態にかかる頭皮ケア装置３０１は、主として、頭皮刺激部３０２と、把持部（本体部）３とで構成されている。把持部３の構成については、第１の実施形態と同様の構成が適用できる。そのため、把持部３の詳細な説明は省略する。
【０１０４】
頭皮刺激部３０２は、第１の実施形態と同様に、２つの掌型突起３１・３１で構成されている。各掌型突起３１・３１の全体構成は、第１の実施形態と略同じである。すなわち、各掌型突起３１は、付け根部３１ａまたは３１ｂと、複数（本実施形態では、３本）の棒状部材（すなわち、第１棒状部材４１ａおよび第２棒状部材３４１ｂ）とを有している。
【０１０５】
図９と図１とを比較すればわかるように、本実施形態では、第２棒状部材３４１ｂの先端部にセンサが設けられていない点が、第１の実施形態とは異なっている。それ以外の構成については、第１の実施形態と同様の構成が適用できる。また、第１の実施形態の変形例１から３の何れかの構成を第４の実施形態に適用してもよい。
【０１０６】
＜第５の実施形態＞
続いて、本発明の第５の実施形態について説明する。図１０は、第５の実施形態にかかる頭皮ケア装置５０１の内部構成を示すブロック図である。図１０には、制御部７１を中心とした頭皮ケア装置５０１の運転制御に関連する構成部材を主に図示している。なお、頭皮ケア装置５０１の外観構成については、第１の実施形態と同様の構成が適用できる。
【０１０７】
図１０に示すように、頭皮ケア装置５０１は、制御部７１、ファン７２、イオン供給部７５、センサ４３、および操作部２１などを備えている。制御部７１内には、タイマ８１、メモリ８２などが設けられている。
【０１０８】
第５の実施形態にかかる頭皮ケア装置５０１には、ヒータが備えられていない。したがって、把持部３の吹き出し口３５からは冷風のみが吹き出される。このような構成の場合にも、頭皮刺激部２の第１棒状部材４１ａの先端部に伝熱部４２が設けられていることで、把持部３から吹き出される冷風によって伝熱部４２をより効率的に冷やすことができる。これにより、ユーザの使用時の快適性を向上させることができる。なお、第１の実施形態の変形例１から３の何れかの構成を第５の実施形態に適用してもよい。
【０１０９】
（まとめ）
本発明の一局面は、頭皮ケア装置（例えば、頭皮ケア装置１・１０１・２０１・３０１・４０１・５０１）に関する。この頭皮ケア装置は、送風機（例えば、ファン７２）を有する本体部（例えば、把持部３）と、前記本体部と接続される少なくとも一つの付け根部（例えば、右側付け根部３１ａおよび左側付け根部３１ｂ）と、前記付け根部から突出し、かつ、施術箇所に接触する先端部を有する複数の棒状部材（例えば、第１棒状部材４１ａおよび第２棒状部材４１ｂ、第１棒状部材１４１ａおよび第２棒状部材１４１ｂなど）とを備えている。そして、前記複数の棒状部材のうちの少なくとも一つの棒状部材（例えば、第１棒状部材４１ａ、第１棒状部材１４１ａなど）の前記先端部には、前記棒状部材の本体部分よりも熱伝導率の高い伝熱部（例えば、伝熱部４２など）が設けられている。
【０１１０】
上記の本発明の一局面にかかる頭皮ケア装置は、２つの前記付け根部（例えば、右側付け根部３１ａおよび左側付け根部３１ｂ）を備えていてもよい。
【０１１１】
上記の本発明の一局面にかかる頭皮ケア装置において、前記付け根部は弾性を有していてもよい。この構成によれば、各棒状部材の先端部が頭皮へ接触したときの衝撃を和らげ、ユーザが感じる頭皮の感触をより良好なものにすることができる。
【０１１２】
上記の本発明の一局面にかかる頭皮ケア装置は、帯電微粒子発生部（例えば、イオン供給部７５）をさらに備えていてもよい。
【０１１３】
上記の本発明の一局面にかかる頭皮ケア装置において、前記複数の棒状部材は、並んで配置されており、前記複数の棒状部材のうち、前記伝熱部を有している前記棒状部材（例えば、第１棒状部材４１ａ）は、前記伝熱部を有していない前記棒状部材（例えば、第２棒状部材４１ｂ）の外側に配置されていてもよい。
【０１１４】
上記の本発明の一局面にかかる頭皮ケア装置は、前記送風機によって生成される風を温める加熱部（例えば、ヒータ７３）をさらに備えていてもよい。
【０１１５】
上記の本発明の一局面にかかる頭皮ケア装置は、前記頭皮ケア装置の稼働時間を計測するタイマ（例えば、タイマ８１）をさらに備えていてもよい。
【０１１６】
上記の本発明の一局面にかかる頭皮ケア装置において、前記伝熱部を有していない前記棒状部材（例えば、第２棒状部材４１ｂ、第２棒状部材１４１ｂなど）の少なくとも一つの先端部には、水分センサ、油分センサ、カメラ、および感圧センサのうちの少なくとも何れか（例えば、センサ４３、センサ１４３、センサ１４４など）が設けられていてもよい。
【０１１７】
上記の本発明もう一つの局面にかかる頭皮ケア装置（例えば、頭皮ケア装置２０１）は、送風機（例えば、ファン７２）および帯電微粒子発生部（例えば、イオン供給部７５）を有する本体部（例えば、把持部３）と、前記本体部と接続される少なくとも一つの付け根部（例えば、右側付け根部３１ａおよび左側付け根部３１ｂ）と、前記付け根部から突出し、かつ、施術箇所に接触する先端部を有する複数の棒状部材（例えば、第１棒状部材２４１ａ）とを備えている。そして、前記複数の棒状部材の前記先端部には、前記棒状部材の本体部分よりも熱伝導率の高い伝熱部（例えば、伝熱部２４２）が設けられている。
【０１１８】
ここでいう帯電微粒子には、例えば、帯電微粒子水も含むものとする。このとき、イオン発生装置は静電霧化装置からなり、静電霧化装置によってラジカル成分を含む帯電微粒子水が生成される。すなわち、静電霧化装置に設けた放電電極をペルチェ素子により冷却することで放電電極の表面に結露水が生じる。次に、放電電極にマイナスの高電圧を印加すると、結露水から帯電微粒子水が生成される。また、放電電極からは帯電微粒子水とともに空気中に放出されるマイナスイオンも発生する。
【０１１９】
なお、本発明の一局面にかかる頭皮ケア装置は、棒状部材が頭皮のみならず毛髪にも接触する。そのため、頭皮だけでなく毛髪のケアなどの用途にも用いられる。したがって、本発明の一局面では、頭皮ケア装置は、ヘアケア装置とも呼ばれる。また、本発明の一局面にかかる頭皮ケア装置は、毛髪を乾燥させるドライヤとしての機能を有していてもよい。この場合、本発明にかかる頭皮ケア装置は、ヘアドライヤの形態で実現される。
【０１２０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１２１】
１    ：頭皮ケア装置
２    ：頭皮刺激部
３    ：把持部（本体部）
２１  ：操作部
３１  ：掌型突起（３１ａ：右側付け根部、３１ｂ：左側付け根部）
３４  ：接続部
３５  ：吹き出し口
４１ａ：第１棒状部材
４１ｂ：第２棒状部材
４２  ：伝熱部
４３  ：センサ
７１  ：制御部
７２  ：ファン（送風機）
７３  ：ヒータ（加熱部）
７５  ：イオン供給部（帯電微粒子発生装置）
８１  ：タイマ
１０１：頭皮ケア装置
２０１：頭皮ケア装置
３０１：頭皮ケア装置
５０１：頭皮ケア装置
【図１】
2019146677.tif 000003
【図２】
2019146677.tif 000004
【図３】
2019146677.tif 000005
【図４】
2019146677.tif 000006
【図５】
2019146677.tif 000007
【図６】
2019146677.tif 000008
【図７】
2019146677.tif 000009
【図８】
2019146677.tif 000010
【図９】
2019146677.tif 000011
【図１０】
2019146677.tif 000012
【図１１】
2019146677.tif 000013
【図１２】
2019146677.tif 000014
【図１３】
2019146677.tif 000015